(57)【要約】      （修正有）【課題】フック掛け商品の盗難防止装置で、陳列用フックに抜け止めタグを取り付けてフック掛け商品を抜取り不能にでき、取付操作が容易で、陳列用フックの径差に対応できるものを提供する。【解決手段】陳列用フックＨを挟み付ける一対の挟持枠体１，２からなる抜け止めタグＴと、ロック解除キーＫとを有、挟持枠体１，２は、一端側で相互に枢着され、他端側にＶ字状凹形をなして弾性材３を装着したフック挟持部１０，２０を有し、挟持枠体２がラックギヤ５に対する歯部６１を持つ係止部材６を備え、係止部材６が進退移動可能に保持されてコイルスプリング７によって進出方向に付勢されている。ラックギヤ５と係止部材６は、噛合状態において、両挟持枠体１，２の開離方向には離脱不能で、閉合方向には噛合位置を順次転位可能とする傾斜歯形を有する。ロック解除キーＫによって係止部材６を後退移動させてラックギヤ５との噛合を解除するように構成されている。【選択図】図９
2014168526.tif 000002
【特許請求の範囲】
【請求項１】
フック掛け商品の陳列用フックを両側から挟み付ける一対の挟持枠体からなる抜け止めタグと、ロック解除キーとで構成され、
前記一対の挟持枠体は、一端側で相互に枢着されると共に、各々他端側に前記陳列用フックとの対接部がＶ字状凹形をなして且つ弾性材を装着したフック挟持部を有し、
一側の挟持枠体が他側の挟持枠体との枢着部を中心とする円周に沿って湾曲したラックギヤを備え、他側の挟持枠体が該ラックギヤに対する歯部を持つ係止部材を備え、
前記ラックギヤ及び係止部材の一方は、他方に対して進退移動可能に保持されると共に、ばね部材によって進出方向に付勢されており、
前記ラックギヤ及び係止部材の歯部は、相互の噛合状態において、両挟持枠体の開離方向には離脱不能で、且つ両挟持枠体の閉合方向には前記ばね部材の付勢に抗した後退移動を伴って噛合位置を順次転位可能とする傾斜歯形を有し、
前記ロック解除キーは、両挟持枠体の一方に設けたキー孔に挿入して捻回することにより、相互に噛合しているラックギヤ及び係止部材の進退移動可能な一方を後退移動させて噛合解除するように構成されてなるフック掛け商品の盗難防止装置。
【請求項２】
一側の挟持枠体のフック挟持部に一対の前記弾性材が幅方向に離間して配置すると共に、他側の挟持枠体のフック挟持部に一つの前記弾性材が前記一対の弾性材の間に位置し、且つこれら弾性材の陳列用フックとの対接部がＶ字状凹形をなす請求項１に記載のフック掛け商品の盗難防止装置。
【請求項３】
前記係止部材が前記ラックギヤに対する複数の歯部を備える請求項１又は２に記載のフック掛け商品の盗難防止装置。
【請求項４】
前記ラックギヤが両挟持枠体の一方に固定され、前記係止部材が他方の挟持枠体に進退移動可能に保持されてなる請求項１〜３のいずれかに記載のフック掛け商品の盗難防止装置。
【請求項５】
前記ラックギヤの歯部が両挟持枠体の枢着部側に臨んで配列すると共に、前記係止部材が該ラックギヤよりも前記枢着部側に配置してなる請求項４に記載のフック掛け商品の盗難防止装置。
【請求項６】
前記ロック解除キーの先端側が開口した円筒状で側方へ張出する突片を備えると共に、前記キー孔が該ロック解除キーの先端側に対応する円環部から外側へ延出した突片挿入溝を有し、該キー孔に挿入したロック解除キーを捻回することにより、その突片が前記ラックギヤ及び係止部材の進退移動可能な一方に押接して後退移動させるように構成されてなる請求項１〜５のいずれかに記載のフック掛け商品の盗難防止装置。
【請求項７】
前記抜け止めタグに、電波式万引防止システムのタグゲートに感応する電波式コイルタグと、アコーストマグネチック式万引防止システムのタグゲートに感応するアコーストマグネチック式コイルタグとの少なくとも一方が保持されてなる請求項１〜６のいずれかに記載のフック掛け商品の盗難防止装置。
【請求項８】
陳列用フックは取付基部から水平又はやや上向きに張出した直線状軸部の先端から斜め上方へ曲折する外れ止め部を有し、その直線状軸部に吊持した最前部のフック掛け商品と外れ止め部の基端との間に、前記抜け止めタグが取り付けられてなる請求項１〜７のいずれかに記載のフック掛け商品の盗難防止装置。
【発明の詳細な説明】
【技術分野】
【０００１】
本発明は、陳列用フックに吊持したブリスターパック商品等のフック掛け商品の盗難を防止するために、該陳列用フックに装着してフック掛け商品の抜き取りを不能にするタグ型の盗難防止装置に関する。
【背景技術】
【０００２】
近年、ホームセンター、家電や玩具の量販店を始めとする各種店舗における小型商品の展示手段として、商品をブリスターパック（紙又は合成樹脂の台板と透明合成樹脂シート成形物とからなるパッケージ）、吊持部付き包装箱、吊持部付き袋等に納めたフック掛け商品の形態で、その複数個を陳列用フックに吊持する方式が多用されている。その陳列用フックは、概して、金属線材や金属帯板からなる取付基部に吊持軸とする太い金属線材が溶接やねじ止めによって固着されており、その取付基部を格子状のネットラックに係着させた状態で、水平又はやや上向きに張出する吊持軸にフック掛け商品を吊掛け孔を通して吊支するようにしたものであり、該吊持軸の先端側が斜め上方へ曲折する外れ止め部を形成している。
【０００３】
ところが、このような陳列用フックによる展示方式では、フック掛け商品を簡単に抜き取れるために万引被害を受け易く、陳列用フックに掛かった商品全部がまるごと盗まれるという大量盗難で大きな損失を被ることも往々にしてあった。そこで、盗難防止手段として、陳列用フックのフック掛け商品が抜出不能となる位置に、警報発生機構及びＬＥＤを内蔵する盗難警報器を取り付け、該盗難警報器が不正に外されたときに警報音を発すると共に、該警報音と同期してＬＥＤを点滅させることが提案されている（特許文献１）。また、陳列用フックの上記同様位置に取り付ける盗難防止具として、上部材の両側の板バネ係止部に、下部材の平行突出状に設けた板バネの両側の係止孔を嵌合することにより、該フックを上下から挟持する形で上下部材を係着する一方、磁石を内蔵する別体の解除器を上部材に外嵌させた際に、平行突出状であった板バネが磁気吸着力によって両側へ開いて前記板バネ係止部から離脱し、もって上下部材を分離してフックから取外し可能とするものが提案されている（特許文献２）。
【先行技術文献】
【特許文献】
【０００４】
【特許文献１】特開２０００−２９３７６４号公報
【特許文献１】特開２０１０−１９４２８６号公報
【発明の概要】
【発明が解決しようとする課題】
【０００５】
しかしながら、前記提案の盗難警報器は、電池を内蔵するものであるため、店舗内の多数の陳列用フックに取り付けることはコスト面及び管理面から難しいと言える。また、前記提案の盗難防止具では、磁気吸着力でロック解除する方式であるため、その方式が知られてしまうと、通常の磁石を用いて簡単に外されてフック掛け商品を盗まれる懸念があると共に、適用できる陳列用フックの太さが限られ、細いフックの場合に径に応じた専用アダプターが別途に必要になるという難点もあった。
【０００６】
本発明は、上述の事情に鑑みて、フック掛け商品の盗難防止装置として、陳列用フックに抜け止めタグを取り付けてフック掛け商品を抜取り不能にできる上、該抜け止めタグの取付操作が非常に容易である一方、その取り外しには専用のロック解除キーが必要であるため、フック掛け商品の盗難を確実に防止でき、しかも陳列用フックの太さが大きく異なっていても支承なく共用できるものを提供することを目的としている。
【課題を解決するための手段】
【０００７】
上記目的を達成するための手段を図面の参照符号を付して示せば、請求項１の発明に係るフック掛け商品の盗難防止装置は、フック掛け商品Ｇの陳列用フックＨを両側から挟み付ける一対の挟持枠体１，２からなる抜け止めタグＴと、ロック解除キーＫとで構成され、一対の挟持枠体１，２は、一端側で相互に枢着されると共に、各々他端側に陳列用フックＨとの対接部がＶ字状凹形をなして且つ弾性材３を装着したフック挟持部１０，２０を有し、一側の挟持枠体１が他側の挟持枠体２との枢着部（枢支ピン４）を中心とする円周ｃに沿って湾曲したラックギヤ５を備え、他側の挟持枠体２が該ラックギヤ５に対する歯部６１を持つ係止部材６を備え、ラックギヤ５及び係止部材６の一方は、他方に対して進退移動可能に保持されると共に、ばね部材（コイルスプリング７）によって進出方向に付勢されており、ラックギヤ５及び係止部材６の歯部５１，６１は、相互の噛合状態において、両挟持枠体１，２の開離方向には離脱不能で、且つ両挟持枠体１，２の閉合方向には前記ばね部材の付勢に抗した後退移動を伴って噛合位置を順次転位可能とする傾斜歯形を有し、ロック解除キーＫは、両挟持枠体１，２の一方に設けたキー孔２２に挿入して捻回することにより、相互に噛合しているラックギヤ５及び係止部材６の進退移動可能な一方を後退移動させて噛合解除するように構成されてなる。
【０００８】
請求項２の発明は、上記請求項１のフック掛け商品の盗難防止装置において、一側の挟持枠体２のフック挟持部２０に一対の弾性材３，３が幅方向に離間して配置すると共に、他側の挟持枠体１のフック挟持部１０に一つの弾性材３が前記一対の弾性材３，３の間に位置し、且つこれら弾性材３の陳列用フックＨとの対接部（前縁部３ａ）がＶ字状凹形をなす構成としている。
【０００９】
請求項３の発明は、上記請求項１又は２のフック掛け商品の盗難防止装置において、係止部材６がラックギヤ５に対する複数の歯部６１を備える構成としている。
【００１０】
請求項４の発明は、上記請求項１〜３のいずれかのフック掛け商品の盗難防止装置において、ラックギヤ５が両挟持枠体１，２の一方に固定され、係止部材６が他方の挟持枠体２に進退移動可能に保持されてなる構成としている。
【００１１】
請求項５の発明は、上記請求項４のフック掛け商品の盗難防止装置において、ラックギヤ５の歯部５１が両挟持枠体１，２の枢着部側に臨んで配列すると共に、係止部材６が該ラックギヤ５よりも枢着部側に配置してなる構成としている。
【００１２】
請求項６の発明は、上記請求項１〜５のいずれかのフック掛け商品の盗難防止装置において、ロック解除キーＫの先端側が開口した円筒状（円筒部８）で側方へ張出する突片８ａを備えると共に、キー孔２２が該ロック解除キーＫの先端側に対応する円環部から外側へ延出した突片挿入溝２２ａを有し、該キー孔２２に挿入したロック解除キーＫを捻回することにより、その突片８ａがラックギヤ５及び係止部材６の進退移動可能な一方に押接して後退移動させるように構成されてなる。
【００１３】
請求項７の発明は、上記請求項１〜６のいずれかのフック掛け商品の盗難防止装置において、抜け止めタグＴに、電波式万引防止システムのタグゲートに感応する電波式コイルタグＲＦと、アコーストマグネチック式万引防止システムのタグゲートに感応するアコーストマグネチック式コイルタグＡＭとの少なくとも一方が保持されてなる構成としている。
【００１４】
請求項８の発明は、上記請求項１〜７のいずれかのフック掛け商品の盗難防止装置において、陳列用フックＨは取付基部１００から水平又はやや上向きに張出した直線状軸部１１１の先端から斜め上方へ曲折する外れ止め部１１２を有し、その直線状軸部１１１に吊持した最前部のフック掛け商品Ｇと外れ止め部１１２の基端との間に、抜け止めタグＴが取り付けられてなる構成としている。
【発明の効果】
【００１５】
以下に、本発明の効果について図面の参照符号を付して説明する。まず、請求項１の発明に係るフック掛け商品の盗難防止装置は、陳列用フックＨに対し、吊持した最前部のフック掛け商品Ｇよりも前側に抜け止めタグＴを止着することにより、該フック掛け商品Ｇを抜き取りを不能にするものである。この抜け止めタグＴは、一端側で枢着した一対の挟持枠体１，２からなり、両挟持枠体１，２のフック挟持部１０，２０間で陳列用フックＨを両側から挟み付けると、ラックギヤ５と係止部材６の歯部５１，６１が噛合することで、両挟持枠体１，２が開離不能になると共に、陳列用フックＨを弾性材３，３間で弾力的に締め付けて滑り止めされるため、該陳列用フックＨから取り外せなくなる。
【００１６】
そして、ラックギヤ５及び係止部材６の一方が他方に対して進退移動可能に保持されると共に、ばね部材（コイルスプリング７）によって進出方向に付勢され、且つ噛合状態における相互の歯部５１，６１が両挟持枠体１，２の開離方向には離脱不能であるが、両挟持枠体１，２の閉合方向には噛合位置を順次転位可能であるから、陳列用フックＨに抜け止めタグＴを取り付ける際、両挟持枠体１，２を限界まで閉合操作するだけで、該抜け止めタグＴを確実に強固に止着できると共に、両挟持枠体１，２のフック挟持部１０，２０がＶ字状凹形をなすことで、陳列用フックＨの大きな径差に対応できる。
【００１７】
一方、陳列用フックＨからフック掛け商品Ｇを抜き出す際には、係員が専用のロック解除キーＫを用いて該抜け止めタグＴを取り外す。このロック解除キーＫは両挟持枠体１，２の一方に設けたキー孔２２に挿入して捻回するだけでよく、この捻回操作によって相互に噛合していたラックギヤ５及び係止部材６の進退移動可能な一方が後退移動して噛合解除するから、両挟持枠体１，２を開離させて抜け止めタグＴを陳列用フックＨから取り外すことができる。
【００１８】
請求項２の発明によれば、一側の挟持枠体２の一対の弾性材３，３に対し、他側の挟持枠体１の一つの弾性材３が幅方向に異なる位置に配置するから、陳列用フックＨを両側から挟み付けた際に、両側の弾性材３，３同士が干渉し合わず、各々の弾性復元力による陳列用フックＨの締付作用が充分に発揮され、加えて各弾性材３の陳列用フックＨとの対接部（前縁部３ａ）がＶ字状凹形をなし、且つ３カ所で弾接することにより、強い止着力及び抜け止め作用ができる。
【００１９】
請求項３の発明によれば、係止部材６がラックギヤ５に対する複数の歯部６１を備えるから、両者の噛合がより確実となる。
【００２０】
請求項４の発明によれば、長くなるラックギヤ５を固定側とし、係止部材６を進退移動可能とするから、抜け止めタグＴをコンパクトに機能的に構成できる。
【００２１】
請求項５の発明によれば、ラックギヤ５の歯部４１が両挟持枠体１，２の枢着部側に臨んで配列し、係止部材６が該ラックギヤ５よりも枢着部側に配置するから、抜け止めタグＴをよりコンパクトに機能的に構成できる。
【００２２】
請求項６の発明によれば、ロック解除キーＫの先端側が開口した円筒状（円筒部８）で側方へ張出する突片６ａを備え、キー孔２２が該ロック解除キーＫの先端側に対応する円環部から外側へ延出した突片挿入溝２２ａを有するから、該ロック解除キーＫの円筒状の先端側形状を有しない代替物ではキー孔２２へ挿入できず、もって高い盗難防止機能が得られる。
【００２３】
請求項７の発明によれば、抜け止めタグＴに、電波式万引防止システムのタグゲートに感応する電波式コイルタグＲＦと、アコーストマグネチック式万引防止システムのタグゲートに感応するアコーストマグネチック式コイルタグＡＭとの少なくとも一方が保持されているから、これら万引防止システムを導入した量販店において、陳列用フックＨから抜け止めタグＴを工具等で強引に外して、該抜け止めタグＴごとフック掛け商品Ｇを持ち出そうとする者があれば、タグゲートで確実に発見できる。
【００２４】
請求項８の発明によれは、陳列用フックＨが直線状軸部１０２の先端から斜め上方へ曲折する外れ止め部１０３を有し、その直線状軸部１０３に吊持した最前部のフック掛け商品Ｇと外れ止め部１０３の基端との間に抜け止めタグＴが取り付けられるから、該抜け止めタグＴを強引に引っ張っても外れ止め部１０３の基端の曲がり部分を通過させることができず、もって確実な盗難防止作用が得られる。
【図面の簡単な説明】
【００２５】
【図１】本発明の一実施形態に係るフック掛け商品の盗難防止装置における抜け止めタグの斜視図である。
【図２】同抜け止めタグを陳列用フックに止着した状態を示す正面図である。
【図３】フック掛け商品を吊持した陳列用フックに同抜け止めタグを止着した状態を示す側面図である。
【図４】同抜け止めタグを示し、（ａ）は背面図、（ｂ）は内蔵するコイルタグが異なる場合の前面図である。
【図５】同抜け止めタグの両挟持枠体を開いた状態を示し、（ａ）は平面図、（ｂ）は（ａ）のＸ−Ｘ線の断面矢視図である。
【図６】同抜け止めタグを構成部品に分解して示す縦断側面図である。
【図７】同抜け止めタグの図５（ａ）で示す各部の断面構造を示し、（ａ）はＡ−Ａ線の、（ｂ）はＢ−Ｂ線の、（ｃ）はＣ−Ｃ線の、（ｄ）はＤ−Ｄ線の、（ｅ）はＥ−Ｅ線のそれぞれ断面矢視図である。
【図８】同抜け止めタグのラックギヤと係止部材の関係を示す側面図である。
【図９】太径の陳列用フックに対する同抜け止めタグの止着状態を示す縦断側面図である。
【図１０】細径の陳列用フックに対する同抜け止めタグの止着状態を示す縦断側面図である。
【図１１】同抜け止めタグの弾性材による陳列用フックの挟持状態を示し、（ａ）は陳列用フックが太径の場合、（ｂ）は中間径の場合、（ｃ）は細径の場合のそれぞれ縦断面図である。
【図１２】同弾性材の前縁部が凹円弧形である場合の問題点を説明するものであり、（ａ）は抜け止めタグの抜出方向を示す側面図、（ｂ）は抜け止めタグの定常姿勢における陳列用フックＨの挟持状態を示す縦断面図、（ｃ）は抜け止めタグを９０°回転させた状態での陳列用フックＨの挟持状態を示す縦断面図である。
【図１３】同盗難防止装置におけるロック解除キーを示し、（ａ）はキーホルダー取付状態の側面図、（ｂ）は縦断側面図、（ｃ）は先端側から見た平面図である。
【図１４】同ロック解除キーによるロック解除操作を説明するものであり、（ａ）は抜け止めタグの背面図、（ｂ）は抜け止めタグのロック解除した状態での縦断側面図，（ｃ）はロック解除キーによる係止部材の後退動作の説明図である。
【発明を実施するための形態】
【００２６】
以下に、本発明一実施形態に係るフック掛け商品の盗難防止装置について、図面を参照して具体的に説明する。この盗難防止装置は、図１に示す抜け止めタグＴと、図１３に示すロック解除キーＫとで構成されている。
【００２７】
図１に示すように、抜け止めタグＴは、サイズ差のある一対の舟形の挟持枠体１，２が互いに開放側を対向させ得る配置で一端側を枢支ピン４を介して枢着されており、挟持枠体２の内側に一回り小さい挟持枠体１を嵌入する形で、両挟持枠体１，２を閉じ合わせ可能である。そして、図示の如く、両挟持枠体１，２の他端側には、それぞれ両側側壁部１ａ，１ａ、２ａ，２ａのＶ字形の切欠により、相互に対向するフック挟持部１０，２０が形成され、フック挟持部２０には一対の弾性材３，３が幅方向に離間して配置すると共に、フック挟持部１０にも同様の弾性材３の一つが幅方向中央位置に配置している（図５参照）。また、挟持枠体１の背面には、電波式コイルタグを意味する文字Ｒを表示したコイルタグケース９が設けてある。以下、両挟持枠体１，２の枢着側を後方側、該枢着側から離れる方向を前方として前後関係を表現する。
【００２８】
この抜け止めタグＴは、図２に示すように、両挟持枠体１，２のフック挟持部１０，２０間で陳列用フックＨを挟み付けることにより、両挟持枠体１，２の枢着側を下にする姿勢で該陳列用フックＨに止着するようになっている。この陳列用フックＨは、図２及び図３に示すように、Ｕ字形線材１０１と横桟線材１０２からなる枠状の取付基部１００に、略Ｌ字形の太径のフック線材１１０が縦軸部１１３で固着されており、取付基部１００のＵ字形線材１０１両端の鉤部１０１ａ，１０１ａを、縦横線部２０１，２０２からなる展示用ネットＮの横線部２０２に掛止することにより、フック線材１１０の直線状軸部１１１が水平又はやや上向きに前方へ張出し、その先端から曲折した外れ止め部１１２が斜め上方に向く状態に保持される。そして、図３に示すように、該陳列用フックＨの直線状軸部１１１には、ブリスターパック商品等のフック掛け商品Ｇを孔付きフラップＦを介して吊持させた上で、その最前部のフック掛け商品Ｇよりも前に抜け止めタグＴを止着すれば、当該抜け止めタグＴを取り外さない限りはフック掛け商品Ｇを抜き取れなくなる。
【００２９】
陳列用フックＨに止着した抜け止めタグＴは、自動的に両挟持枠体１，２が開離不能にロックされた状態になるが、図４（ａ）に示すように背面つまり挟持枠体２の背面の一端側にはキー孔２２を有するから、このキー孔２２に後述するロック解除キーＫを差し込んで解除操作することにより、両挟持枠体１，２を開離して陳列用フックＨから取り外すことができる。なお、挟持枠体２の背面には、他端側に通気孔４が形成されると共に、中間部にブザーマークＭが表示されている。また図４（ｂ）に示すように、挟持枠体１側の背面のコイルタグケース９として、アコーストマグネチック式コイルタグを意味する文字Ｍを表示したものも使用される。
【００３０】
図５及び図６に示すように、この抜け止めタグＴは、一対の挟持枠体１，２、前縁部３ａがＶ字状凹形をなすゴム板からなる３枚の弾性材３、枢支ピン４、ラックギヤ５、係止部材６、コイルスプリング７、鍵穴部材２３、コイルタグケース９の各部材より構成されている。そして、挟持枠体１，２、ラックギヤ５、鍵穴部材２３、コイルタグケース９は、いずれも硬質合成樹脂成形物からなる。
【００３１】
挟持枠体１は、前記切欠によるフック挟持部１０を有する左右の側壁部１ａ，１ａと、後端中央に枢支ピン４を挿通させるヒンジ部１ｄを連設した底壁部１ｂと、該ヒンジ部１ｄを中心とする円弧に沿って湾曲した前壁部１ｃとで、後部側を浅くする舟形に構成されている。その底壁部１ｂには、前部の幅方向中央に位置して、前後方向に沿う偏平な矩形枠状の弾性材保持部１２が内向きに突設され、前後方向中間部に周縁が外向きに段状をなす矩形開口部１３が形成されると共に、前後左右の４カ所に前後方向に長い係止孔１５が形成されている。そして、弾性材保持部１２の左右側板部には、各側壁部１ａのフック挟持部１０に左右方向で一致するＶ字形の切欠によるフック挟持部１１が形成され、また弾性材保持部１２の後端基部側から延設された一対の矩形係止片１４，１４が矩形開口部１３の内側へ平行に突出すると共に、該弾性材保持部１２の後端の両矩形係止片１４，１４よりも上位側が突縁状のラックギヤ受け部１２ａを形成している。このラックギヤ受け部１２ａは、両矩形係止片１４，１４の間に位置して、頂端縁がヒンジ部１ｄを中心とする円弧に沿って湾曲すると共に、該頂端縁の頂面が断面半円形の凹溝をなしている。
【００３２】
ラックギヤ５は、全体が湾曲状をなし、一端側に周縁が二段状になった矩形の嵌合基部５０が一体形成され、湾曲凹側に歯部５１が配列すると共に、湾曲凸側の全長に亘って補強リブ５２を備え、且つ該補強リブ５２の基部側の両側面に係止爪５３，５３が形成されている。この該ラックギヤ５は、挟持枠体１の矩形開口部１３に外側から強制的に挿入することにより、図７（ｅ）に示すように、嵌合基部５０が該矩形開口部１３に嵌合した状態で、係止爪５３，５３が両矩形係止片１４，１４上に係合すると共に、補強リブ５２の頂端縁がラックギヤ受け部１２ａの凹溝に嵌合し、もって該挟持枠体１に対して離脱不能に且つガタつきのない状態に固定されている。そして、この固定状態のラックギヤ５は、図５（ｂ）に示すように、歯部５１が配列した湾曲凹側がヒンジ部１ｄを中心とする円弧に沿うように設定されている。
【００３３】
コイルタグケース９は、下方に開放した長い箱枠状をなし、その開放縁の前後左右の４カ所に外向きの爪付き突片９ａが下向きに突設されている。そして、図５（ａ）及び図７（ｄ）に示すように、このコイルタグケース９は、内側に電波式コイルタグＲＦ（もしくはアコーストマグネチック式コイルタグＡＭ・・・図９，１０参照）を収容した状態で、各爪付き突片９ａを挟持枠体１の係止孔１５に強制的に挿入して内側に係合させることにより、該挟持枠体１の背面側に装着されている。
【００３４】
挟持枠体２は、前記切欠によるフック挟持部２０を有する左右の側壁部２ａ，２ａ、底壁部２ｂ、前壁部２ｃ、後壁部２ｄより全体に同じ深さの舟形に構成されている。そして、後端上部の左右両側にヒンジ部２ｅ，２ｅが連設され、前壁部２ｃは挟持枠体１の前壁部１ｃと同様に該ヒンジ部２ｅを中心とする円弧に沿って湾曲している。また、底壁部２ｂには、前部側に前後方向に沿う偏平な矩形枠状の一対の弾性材保持部２２，２２が幅方向に離間して内向きに突設されると共に、後部側に周縁が外向きに段状をなす矩形開口部２４とその左右両縁の前後位置で立ち上がる係止突片２８とが形成されている。後壁部２ｄの内面側上部の幅方向中央には、短い丸軸状のばね受け凸部２５が設けてある。更に、該挟持枠体２の内側の後部側には、底壁部２ｂより立ち上がって後部側下部が後壁部２ｄに繋がる門形のガイド枠部２６が形成されている。なお、各弾性材保持部２２の左右側板部には、挟持枠体１の弾性材保持部１２と同様に、各側壁部２ａのフック挟持部２０に左右方向で一致するＶ字形の切欠によるフック挟持部２１が形成されている。
【００３５】
係止部材６は、横角軸状をなし、その凸曲面状の前端に上下方向に沿って複数（図では４つ）の歯部６１を備えると共に、その後端に短い丸軸状のばね受け凸部６２が突設され、更に後端から垂下するキー受け片６３が形成されている。また、鍵穴部材２３は、略矩形ブロック状で、下方に開口した円環状のキー孔２２及び該キー孔２２から側方へ延出するキー溝２２ａを備え、キー孔２２よりも後部側が段状に低くなり、キー溝２２ａの上部側空間が後方へ抜けている。そして，該鍵穴部材２３の下端外周に突縁部２３ａが形成されると共に、左右両側面の前後位置にそれぞれ係止爪２３ｂが形成されている。
【００３６】
挟持枠体２では、図７（ｂ）（ｃ）に示すように、ガイド枠部２６に係止部材６を挿嵌すると共に、その後端のばね受け凸部６２と後壁部２ｄのばね受け凸部２５との間にコイルスプリング７を嵌装し、また底壁部２ｂの矩形開口部２４に下方から鍵穴部材２３を強制嵌入し、その各係止爪２３ｂを係止突片２８に係合させて離脱不能に固定する。なお、この組み付け状態で、係止部材６は、ガイド枠部２６内で前後摺動自在に保持されて、且つコイルスプリング７によって前方へ付勢されている。
【００３７】
また、３枚の弾性材３は、両挟持枠体１，２の弾性材保持部１２，２２，２２の各々に嵌装するが、図５（ｂ）及び図７（ａ）に示すように、この嵌装状態で該弾性材３のＶ字状凹形をなす前縁部３ａがフック挟持部１０，１１及び２０，２１よりも高く突出するように寸法設定されている。
【００３８】
かくして各部材を組み付けた両挟持枠体１，２は、挟持枠体２の両ヒンジ部２ｅ，２ｅ間に挟持枠体１のヒンジ部１ｄを嵌合し、枢支ピン４を挿嵌することにより、図５（ａ）（ｂ）で示す抜け止めタグＴが構成される。そして、図８に示すように、ラックギヤ５の各歯部５１は、その上側側面が両挟持枠体１，２の枢着中心ｏからの半径線ｒに沿う上向きの傾斜歯形をなす一方、係止部材６の各歯部６１は、ラックギヤ５の歯部５１に対応して下向きの傾斜歯形になっている。これにより、抜け止めタグＴの両挟持枠体１，２を閉じ合わせるように操作したとき、ラックギヤ５と係止部材６の歯部５１，６１同士が噛合するが、この噛合状態における相互の歯部５１，６１は、両挟持枠体１，２の開離方向には離脱不能であるが、両挟持枠体１，２の閉合方向には噛合位置を順次転位可能である。従って、この抜け止めタグＴを陳列用フックＨに取り付ける際、両挟持枠体１，２を限界まで閉合操作するだけで、確実に強固に止着できる。
【００３９】
しかも、この抜け止めタグＴは、陳列用フックＨ（フック線材１１０）が図５（ｂ）に例示するＨ１〜Ｈ３の如く径の異なるものであっても、何ら支障なく適用できる。すなわち、図９で示す大径の陳列用フックＨ１に対する止着状態と、図１０で示す小径の陳列用フックＨ３に対する止着状態とから明らかなように、陳列用フックＨの径によって両挟持枠体１，２の嵌合度合が変化するだけで、挟着状態そのものは変化しない。これは、挟持枠体１のフック挟持部１０，１１と挟持枠体２のフック挟持部２０，２２とが、いずれもＶ字形で、且つ左右方向の位置が異なって正対しない配置になっているため、陳列用フックＨをその径に関係なく両側から挟み付け得ることによる。
【００４０】
また、この抜け止めタグＴにおいては、陳列用フックＨを弾性材３を介して両側から挟み付けることで充分な滑り止め作用が得られるから、該陳列用フックＨに止着状態した状態で容易には移動させることができない。特に、この実施形態では、挟持枠体１側と挟持枠体２側の弾性材３とが正対しない配置であるから、両側の弾性材３，３同士が干渉し合わず、陳列用フックＨが細い径であっても各々の弾性復元力による締付作用が充分に発揮され、且つ該陳列用フックＨに対して３カ所で弾接することにより、非常に強い滑り止め作用が発現する。しかも、各弾性材３の陳列用フックＨに対接する前縁部３ａがＶ字状凹形をなすから、図１１（ａ）〜（ｃ）に示すように、該陳列用フックＨの径がＨ１〜Ｈ３と大きく異なっていても、常に四方から挟着力が働くことになり、強い抜け止め作用が得られる。従って、特に該陳列用フックＨが図２及び図３に示すように直線状軸部１０２の先端から斜め上方へ曲折する外れ止め部１０３を有する場合、該抜け止めタグＴを強引に引っ張っても外れ止め部１０３の基端の曲がり部分を通過させることができず、もって確実な盗難防止作用が得られる。
【００４１】
これに対し、例えば図１２（ａ）〜（ｃ）に示すように、両側の弾性材３０，３０の該陳列用フックＨとの対接部が凹円弧状である抜け止めタグＴａの場合、両弾性材３０，３０の対向方向に対して直交する方向には強い挟着力が働かない。このため、図１２（ａ）の如く陳列用フックＨの直線状軸部１１１に止着した該抜け止めタグＴａを強引に抜き方向に引っ張ってゆくと、先端側の斜め上向きになった外れ止め部１１２への曲がり部分に至ると、図１２（ｂ）の状態で引抜き抵抗が増大して移動不能になっても、その位置で図１２（ｃ）の如く抜け止めタグＴａを９０°回すことで引抜き抵抗が著しく低減するから、外れ止め部１１２へ移動させて容易に抜取り可能となる。
【００４２】
図１３（ａ）〜（ｃ）は、陳列用フックＨに止着した抜け止めタグＴを取り外す際に用いるロック解除キーＫを示す。このロック解除キーＫは、先端側が開口した円筒部８をなすと共に、その先端から側方へ解除片８ａが突出しており、後端のピン孔８ｂを介してキーホルダー８０に出退自在に保持されている。なお、この場合のキーホルダー８０は、電波式コイルタグＲＦ及びアコーストマグネチック式コイルタグＡＭの収納ケースを兼用している。
【００４３】
このロック解除キーＫの先端側の円筒部８及び解除片８ａの形状とサイズは、図１４（ａ）で示す抜け止めタグＴの円環状のキー孔２２及びキー溝２２ａに対応している。一方、抜け止めタグＴを陳列用フックＨに止着した状態では、ラックギヤ５に噛合した係止部材６が前進位置にあり、そのキー受け片６３がキー孔２２に接近している。従って、図１４（ｂ）（ｃ）で示すように、該ロック解除キーＫを抜け止めタグＴのキー孔２２に差し込んで捻回（この場合、反時計周りに最大９０°）すれば、その解除片８ａによって係止部材６のキー受け片６３が押し出され、もって該係止部材６がコイルスプリング７の付勢に抗して後退移動してラックギヤ５から離れるため、両挟持枠体１，２を開離して陳列用フックＨから当該抜け止めタグＴを取り外すことができる。
【００４４】
そして、この実施形態では、ロック解除キーＫの先端側が開口した円筒状である一方、キー孔２２は該ロック解除キーＫの先端側に対応する円環状であって、該キー孔２２の内側が突軸部２３をなすから、該ロック解除キーＫの円筒状の先端側形状を有しない代替物ではキー孔２２へ挿入できず、もって高い盗難防止機能が得られる。
【００４５】
また、実施形態の抜け止めタグＴでは、タグケース９内に、電波式万引防止システムのタグゲートに感応する電波式コイルタグＲＦ、又はアコーストマグネチック式万引防止システムのタグゲートに感応するアコーストマグネチック式コイルタグＡＭを収容しているから、これら万引防止システムを導入した量販店において、陳列用フックＨから抜け止めタグＴを工具等で強引に外して、該抜け止めタグＴごとフック掛け商品Ｇを持ち出そうとする者があれば、タグゲートで確実に発見できるという利点がある。なお、実施形態の抜け止めタグＴでは、実際にはブザーを備えていないが、背面にブザーマークＭを表示していることで、万引しようとする不心得者に対して心理的に圧力を与え、犯意を萎えさせる効果がある。
【００４６】
本発明の盗難防止装置としては、ラックギヤ５が湾曲凸側に歯部５１を有し、係止部材６が後端側に歯部６１を持つものとして、両者の配置を実施形態とは前後逆にしたり、係止部材６側を固定とし、ラックギヤ５側をコイルスプリング７等のバネ部材を介して出退移動可能とした構成も採用可能である。また、実施形態では各弾性材３を装着する弾性材保持部１２，２２にもフック挟持部１１，２１を形成しているが、これら弾性材保持部１２，２２を単に弾性材３を装着するだけの構造としてもよい。その他、各部材の形状や挟持枠体１，２に対する組み付け構造等、細部構成については実施形態以外に種々設計変更可能である。
【符号の説明】
【００４７】
１          挟持枠体
１０，１１  フック挟持部
２          挟持枠体
２０，２１  フック挟持部
２２        キー孔
３          弾性体
３ａ        前縁部（対接部）
４          枢支ピン（枢着部）
５          ラックギヤ
５１        歯部
６          係止部材
６１        歯部
７          コイルスプリング
８          円筒部
８ａ        突片
１００      取付基部
１１１      直線状軸部
１１２      外れ止め部
ＡＭ        アコーストマグネチック式コイルタグ
Ｇ          フック掛け商品
Ｈ          陳列用フック
Ｋ          ロック解除キー
ＲＦ        電波式コイルタグ
Ｔ          抜け止めタグ
ｃ          円周
【図１】
2014168526.tif 000003
【図２】
2014168526.tif 000004
【図３】
2014168526.tif 000005
【図４】
2014168526.tif 000006
【図５】
2014168526.tif 000007
【図６】
2014168526.tif 000008
【図７】
2014168526.tif 000009
【図８】
2014168526.tif 000010
【図９】
2014168526.tif 000011
【図１０】
2014168526.tif 000012
【図１１】
2014168526.tif 000013
【図１２】
2014168526.tif 000014
【図１３】
2014168526.tif 000015
【図１４】
2014168526.tif 000016